(57)【要約】【課題】簡単な構造で、ハードディスク作動中に生じる騒音を低減できるハードディスク収容用ケースを提供すること。【解決手段】ハードディスクの全体をカバーするアルミ製の上ハウジング及び下ハウジングと、高い熱伝導係数の素材から構成され、収容されているハードディスクと前記上ハウジング及び下ハウジングとの間夫々に配置される伝熱シートとを具備し、且つ前記上ハウジングと下ハウジングとの結合箇所には貫通穴が形成され、ハードディスクに形成されるネジ穴に対して、この貫通穴を通してブッシュ付きネジを螺合する。【選択図】図１
0003134292.tif 000002
【実用新案登録請求の範囲】
【請求項１】
ハードディスクを収容すると共に、ハードディスクの作動騒音を低減できるハードディスク収容用ケースであって、
ハードディスクの全体をカバーするアルミ製の上ハウジング及び下ハウジングと、高い熱伝導係数の素材から構成され、収容されているハードディスクと前記上ハウジング及び下ハウジングとの間夫々に配置される伝熱シートとを具備し、
且つ前記上ハウジングと下ハウジングとの結合箇所には貫通穴が形成され、ハードディスクに形成されるネジ穴に対して、この貫通穴を通してブッシュ付きネジを螺合することを特徴とする、
ハードディスク収容用ケース。
【請求項２】
前記上ハウジング及び下ハウジング夫々は、天板と、該天板の両側夫々から収容されているハードディスクに向って延出するように形成される側板とを有し、前記天板及び側板によってハードディスクを収容する収容空間が形成されることを特徴とする、請求項１に記載のハードディスク収容用ケース。
【請求項３】
前記上ハウジング及び下ハウジングの天板には、収容されているハードディスク側との反対側に放熱フィンが形成されることを特徴とする、請求項２に記載のハードディスク収容用ケース。
【請求項４】
ハードディスクを収容すると共に、ハードディスクの作動騒音を低減できるハードディスク収容用ケースであって、
２つのハードディスクを収容できる収容空間を区画する支持フレームを具備し、
該支持フレームの対向する両側に、一方にはアルミ製の上ハウジングが取り付けられ、他方にはアルミ製の下ハウジングが取り付けられ、
収容されているハードディスクと、前記上ハウジング及び下ハウジングとの間夫々には、高い熱伝導係数の素材から構成される伝熱シートが配置され、
且つ前記上ハウジング及び下ハウジングと前記支持フレームとの結合箇所夫々には貫通穴が形成され、ハードディスクに形成されるネジ穴に対して、この貫通穴を通してブッシュ付きネジを螺合することを特徴とする、
ハードディスク収容用ケース。
【請求項５】
前記支持フレームは、２つの側壁と、これらの側板に渡るように配置されるスペーサとを有し、前記スペーサで前記２つの側壁の間のスペースを上下２つの収容空間に区画することを特徴とする、請求項４に記載のハードディスク収容用ケース。
【請求項６】
前記上ハウジング及び下ハウジング夫々は、天板と、該天板の両側夫々から収容されているハードディスクに向って延出するように形成される側板とを有し、前記側板と対応する側の側壁とがブッシュ付きネジで固定されることによって、前記上ハウジング及び下ハウジングが支持フレームに取り付けられることを特徴とする、請求項４に記載のハードディスク収容用ケース。
【請求項７】
前記上ハウジング及び下ハウジングの天板には、収容されているハードディスク側との反対側に放熱フィンが形成されることを特徴とする、請求項６に記載のハードディスク収容用ケース。
【考案の詳細な説明】
【技術分野】
【０００１】
本考案は、ハードディスク収容用ケースに関するものであり、特にハードディスク作動中に生じる騒音を低減できるハードディスク収容用ケースに関するものである。
【背景技術】
【０００２】
科学技術の日進月歩に伴い、コンピューターは現代人の生活の中で欠かせない部分になっており、会社の運営に係る必要な書類の作成、データベースの管理、ファイルの管理から、個人のレクリエーションに係る通信、ゲーム、音楽・映画の視聴等までには、コンピュータによる操作・処理が行われている。
コンピューターのハードウェアを構成する部品の内、ハードディスクは欠かせない標準設備の１つである。
このハードディスクが作動する際に、ハードディスクに内蔵されるモータの回転による騒音が発生し、又ＣＰＵユニットの放熱ファンの作動中にも騒音が発生するので、コンピューター全体の作動中に発生する騒音は無視できない問題になっている。
このような騒音を低減することにより静粛性を実現することは業界努力の目標であり、特にハードディスクの作動騒音の低減は注目に値する課題となっている。
【考案の開示】
【考案が解決しようとする課題】
【０００３】
そこで、本考案は、簡単な構造で、ハードディスク作動中に生じる騒音を低減できるハードディスク収容用ケースを提供することを目的としている。
【課題を解決するための手段】
【０００４】
前記した目的を達成するために、本願の第１考案は、ハードディスクを収容すると共に、ハードディスクの作動騒音を低減できるハードディスク収容用ケースであって、
ハードディスクの全体をカバーするアルミ製の上ハウジング及び下ハウジングと、高い熱伝導係数の素材から構成され、収容されているハードディスクと、前記上ハウジング及び下ハウジングとの間夫々に配置される伝熱シートとを具備し、且つ前記上ハウジングと下ハウジングとの結合箇所には貫通穴が形成され、ハードディスクに形成されるネジ穴に対して、この貫通穴を通してブッシュ付きネジを螺合することを特徴とする、ハードディスク収容用ケースである。
【０００５】
前記目的を達成するために、本願の第２考案は、ハードディスクを収容すると共に、ハードディスクの作動騒音を低減できるハードディスク収容用ケースであって、
２つのハードディスクを収容できる収容空間を区画する支持フレームを具備し、
該支持フレームの対向する両側に、一方にはアルミ製の上ハウジングが取り付けられ、他方にはアルミ製の下ハウジングが取り付けられ、
収容されているハードディスクと、前記上ハウジング及び下ハウジングとの間夫々には、高い熱伝導係数の素材から構成される伝熱シートが配置され、且つ前記上ハウジング及び下ハウジングと前記支持フレームとの結合箇所夫々には貫通穴が形成され、ハードディスクに形成されるネジ穴に対して、この貫通穴を通してブッシュ付きネジを螺合することを特徴とする、ハードディスク収容用ケースである。
【０００６】
本考案によるハードディスク収容用ケースにおいては、前記上ハウジング及び下ハウジングの、収容されているハードディスク側との反対側の表面に放熱フィンが設けられることが好ましい。
【考案の効果】
【０００７】
本願の第１考案に係るハードディスク収容用ケースは、ハードディスクの全体をカバーするアルミ製の上ハウジング及び下ハウジングと、高い熱伝導係数の素材から構成され、収容されているハードディスクと前記上ハウジング及び下ハウジングとの間夫々に配置される伝熱シートとを具備するので、該上ハウジング、下ハウジング及び伝熱シートによる振動吸収作用によって、ハードディスク作動中に発生する騒音を低減するができる。ひいては該ハードディスクを使用している電子装置全体の作動中に生じる騒音を低減することができる。
その上、前記上ハウジングと下ハウジングとの結合箇所には貫通穴が形成され、ハードディスクに形成されるネジ穴に対して、この貫通穴を通してブッシュ付きネジを螺合するので、このブッシュ付きネジにおけるブッシュの振動吸収作用によって、ハードディスク作動中に発生する騒音を更に低減するができ、ひいては該ハードディスクを使用している電子装置全体の作動中に生じる騒音を一層低減することができる。
【０００８】
又、本考案の第２考案に係るハードディスク収容用ケースは、２つの収容空間を区画する支持フレームを具備し、該支持フレームの対向する両側に、一方にはアルミ製の上ハウジングが取り付けられ、他方にはアルミ製の下ハウジングが取り付けられ、収容されているハードディスクと、前記上ハウジング及び下ハウジングとの間夫々には、高い熱伝導係数の素材から構成される伝熱シートが配置されているので、支持フレーム、上ハウジング、下ハウジング及び伝熱シートによる振動吸収作用によって、ハードディスク作動中に発生する騒音を低減するができ、ひいては該ハードディスクを使用している電子装置全体の作動中に生じる騒音を低減することができ、その上、前記上ハウジング及び下ハウジングと前記支持フレームとの結合箇所夫々には貫通穴が形成され、ハードディスクに形成されるネジ穴に対して、この貫通穴を通してブッシュ付きネジを螺合するので、このブッシュ付きネジにおけるブッシュの振動吸収作用によって、ハードディスク作動中に発生する騒音を更に低減するができ、ひいては該ハードディスクを使用している電子装置全体の作動中に生じる騒音を一層低減することができる。
【考案を実施するための最良の形態】
【０００９】
次に、本考案に係るハードディスク収容用ケースに具体的な実施の形態について、図面を参照しながら説明する。尚、本考案は以下の実施形態の記載に限定されるものではない。
【００１０】
（第１実施形態）
図１は本考案の第１実施形態に係るハードディスク収容用ケースの分解斜視図であり、図２は同第１実施形態に係るハードディスク収容用ケースの一部破断模式図である。
【００１１】
図１及び図２に示されるように、本考案に係るハードディスク収容用ケース１は、ハードディスク３の全体をカバーするアルミ製の上ハウジング１０及び下ハウジング１１を有する。
上ハウジング１０と収容されているハードディスク３との間には、高い熱伝導係数の素材から構成される伝熱シート１２が、上ハウジング１０とハードディスク３と夫々に密着するように配置されている。
これと同様に、下ハウジング１１と収容されているハードディスク３との間には、高い熱伝導係数の素材から構成される伝熱シート１３が、下ハウジング１１とハードディスク３と夫々に密着するように配置されている。
前記伝熱シート１２，１３を形成する高い熱伝導係数の素材としては、例えば高い熱伝導係数を有する樹脂からなるものが好ましい。
この樹脂製の伝熱シート１２（１３）を、上ハウジング１０（下ハウジング１１）とハードディスク３と夫々に密着するように上ハウジング１０（下ハウジング１１）と収容されているハードディスク３との間に配置されているので、伝熱シート１２（１３）である樹脂が有する弾性によってハードディスクの振動を吸収することができ、ハードディスク作動中に発生する騒音を低減するができる。
【００１２】
前記上ハウジング１０（下ハウジング１１）は、天板１００（１１０）と、該天板の両側夫々から収容されているハードディスク３に向って延出するように配置される側板１０１（１１１）とを有する。
上ハウジング１０の側板１０１及び下ハウジング１１の側板１１１夫々には、互いの対応する位置に切欠部が形成され、上ハウジング１０と下ハウジング１１とが結合し合体した際に、対応する互いの切欠部が貫通穴９となる。
又、上ハウジング１０と下ハウジング１１との結合する際に、ブッシュ付きネジ１４が前記貫通穴９を通してハードディスク３に形成されるネジ穴１５に螺合する。このブッシュ付きネジ１４が有するブッシュとしては、例えばゴムなどの弾性材から構成されるものが好ましい。
この構成によれば、ハードディスク３に固定しているブッシュ付きネジ１４を挟んで上ハウジング１０と下ハウジング１１とを結合させるので、ブッシュ付きネジ１４のブッシュが有する弾性によってハードディスクの振動を吸収することができ、ハードディスク作動中に発生する騒音を一層低減するができる。
【００１３】
又、前記上ハウジング１０（下ハウジング１１）の天板１００（１１０）には、収容されているハードディスク３側との反対側に複数の放熱フィン１０２（１１２）が起立するように設けられる。
この構成によれば、ハードディスク収容用ケース１の内部において、上ハウジング１０（下ハウジング１１）と収容されているハードディスク３との間に配置される伝熱シート１２（１３）による放熱作用に加えて、ハードディスク収容用ケース１の外面に立設される複数の放熱フィン１０２（１１２）による放熱作用も働いているので、本考案に係るハードディスク収容用ケース１が優れた放熱効果を達成できる。
【００１４】
（第２実施形態）
図３は本考案の第２実施形態に係るハードディスク収容用ケースの分解斜視図であり、図４は同第２実施形態に係るハードディスク収容用ケースの一部破断模式図である。
【００１５】
図３及び図４に示されるように、本考案に係るハードディスク収容用ケース２は、２つの収容空間２４１を区画する支持フレーム２４を具備し、該支持フレーム２４の対向する両側に、一方にはアルミ製の上ハウジング２０が取り付けられ、他方にはアルミ製の下ハウジング２１が取り付けられる。
上ハウジング２０と上段の収容空間２４１に収容されているハードディスク３０との間には、高い熱伝導係数の素材から構成される伝熱シート２２が、上ハウジング２０とハードディスク３０と夫々に密着するように配置されている。
これと同様に、下ハウジング２１と下段の収容空間２４１に収容されているハードディスク３１との間には、高い熱伝導係数の素材から構成される伝熱シート２３が、下ハウジング３１とハードディスク３１と夫々に密着するように配置されている。
前記伝熱シート２２，２３を形成する高い熱伝導係数の素材としては、例えば高い熱伝導係数を有する樹脂からなるものが好ましい。
この樹脂製の伝熱シート２２（２３）を、上ハウジング２０（下ハウジング２１）とハードディスク３０（３１）と夫々に密着するように上ハウジング１０（下ハウジング１１）と収容されているハードディスク３０（３１）との間に配置されているので、伝熱シート２２（２３）である樹脂が有する弾性によってハードディスクの振動を吸収することができ、ハードディスク作動中に発生する騒音を低減するができる。
【００１６】
前記支持フレーム２４は、２つの側壁２４０，２４０と、これらの側板に渡るように配置されるスペーサ２４２とを有し、前記スペーサ２４２で前記２つの側壁の間のスペースを上下２つの収容空間に区画する。
前記上ハウジング２０（下ハウジング２１）は、天板２００（２１０）と、該天板の両側夫々から収容されているハードディスク３０（３１）に向って延出するように配置される側板２０１（２１１）とを有する。
上ハウジング２０の側板２０１及び支持フレーム２４の側壁２４０夫々には、互いの対応する位置に切欠部が形成され、上ハウジング２０と支持フレーム２４とが結合し合体する際に、対応する互いの切欠部が貫通穴２９となる。
これと同様に、下ハウジング２１の側板２１１及び支持フレーム２４の側壁２４０夫々には、互いの対応する位置に切欠部が形成され、下ハウジング２１と支持フレーム２４とが結合し合体する際に、対応する互いの切欠部が貫通穴２９となる。
又、上ハウジング２０（下ハウジング２１）と支持フレーム２４との結合する際に、ブッシュ付きネジ２６が前記貫通穴２９を通してハードディスク３０（３１）に形成されるネジ穴２５に螺合する。
このブッシュ付きネジ２６が有するブッシュとしては、例えばゴムなどの弾性材から構成されるものが好ましい。
この構成によれば、ハードディスク３０（３１）に固定しているブッシュ付きネジ２６を挟んで上ハウジング２０とフレーム２４とを、及び下ハウジング２１とフレーム２４とを結合させるので、ブッシュ付きネジ２６のブッシュが有する弾性によってハードディスクの振動を吸収することができ、ハードディスク作動中に発生する騒音を一層低減するができる。
尚、上ハウジング２０（下ハウジング２１）と支持フレーム２４との結合する際には、上ハウジング２０（下ハウジング２１）の側板２０１（２１１）と支持フレーム２４の対応する側の側壁２４０とを、ブッシュ付きネジ２６で固定することにより、ハードディスク作動中の振動をより低減することができる。
【００１７】
又、前記上ハウジング２０（下ハウジング２１）の天板２００（２１０）には、収容されているハードディスク３０（３１）側との反対側に複数の放熱フィン２０２（２１２）が起立するように設けられる。
この構成によれば、ハードディスク収容用ケース２の内部において、上ハウジング２０（下ハウジング２１）と収容されているハードディスク３０（３１）との間に配置される伝熱シート２２（２３）による放熱作用に加えて、ハードディスク収容用ケース２の外面に立設される複数の放熱フィン２０２（２１２）による放熱作用も働いているので、本考案に係るハードディスク収容用ケース２が優れた放熱効果を達成できる。
【図面の簡単な説明】
【００１８】
【図１】本考案の第１実施形態に係るハードディスク収容用ケースの分解斜視図である。
【図２】同第１実施形態に係るハードディスク収容用ケースの一部破断模式図である。
【図３】本考案の第２実施形態に係るハードディスク収容用ケースの分解斜視図である。
【図４】同第２実施形態に係るハードディスク収容用ケースの一部破断模式図である。
【符号の説明】
【００１９】
１，２・・・・・・・・ハードディスク収容用ケース
３，３０，３１・・・・ハードディスク
９，２９・・・・・・・貫通穴
１０，２０・・・・・・上ハウジング
１１，２１・・・・・・下ハウジング
１２，１３，２２，２３・・・伝熱シート
１４，２６・・・・・・ブッシュ付きネジ
１５，２５・・・・・・ネジ穴
２４・・・・・・・・・支持フレーム
１００，２００・・・・上ハウジングの天板
１０１，２０１・・・・上ハウジングの側板
１０２．２０２・・・・上ハウジングの放熱フィン
１１０，２１０・・・・下ハウジングの天板
１１１，２１１・・・・下ハウジングの側板
１１２，２１２・・・・下ハウジングの放熱フィン
２４０・・・・・・・・側壁
２４１・・・・・・・・収容空間
２４２・・・・・・・・スペーサ
【図１】
0003134292.tif 000003
【図２】
0003134292.tif 000004
【図３】
0003134292.tif 000005
【図４】
0003134292.tif 000006